(57)【特許請求の範囲】
【請求項１】
血液を浄化する血液浄化器と、
動脈穿刺針から前記血液浄化器に血液を供給するための血液供給流路と、
前記血液浄化器から静脈穿刺針に血液を返送するための血液返送流路と、
前記血液供給流路上に設けられ、血液を前記血液浄化器に送出する血液送出装置と、
前記血液供給流路に血液を置換する電解質液を供給するための電解質液流路と、を有する血液浄化装置において、
前記電解質液流路に接続され、前記電解質液流路上に血液の抗凝固液を供給するための抗凝固液供給装置を、さらに有する、血液浄化装置。
【請求項２】
前記抗凝固液供給装置が、抗凝固液貯留器と、一端が該抗凝固液貯留器に接続され、他端が前記電解質液流路に接続されている抗凝固液供給流路と、前記抗凝固液貯留器から前記電解質液流路に抗凝固液を送出するため抗凝固液ポンプとを有する、請求項１に記載の血液浄化装置。
【請求項３】
前記電解質液流路に設けられた第１の開閉弁と、
前記血液供給流路の前記電解質液流路との接続部分よりも上流側に設けられた第２の開閉弁と、
前記第２の開閉弁を閉鎖し、且つ、前記血液送出装置を正方向に稼働させた状態で、前記第１の開閉弁を一定時間閉鎖することにより、前記血液供給流路における前記第２の開閉弁より下流側を減圧し、その後、前記第１の開閉弁を開放することにより、前記電解質液を前記血液供給流路に流入させる制御装置と、をさらに有し、
前記電解質液流路は、前記血液供給流路の前記血液送出装置よりも上流側に接続されている、請求項２に記載の血液浄化装置。
【請求項４】
前記制御装置は、前記第１の開閉弁を開放し、前記第２の開閉弁を閉じ、前記血液送出装置を正方向に稼働して、前記電解質液流路から、前記血液供給流路の前記電解質液流路との接続部分よりも下流側に前記電解質液を供給し、前記第１の開閉弁を閉じ、前記第２の開閉弁を開放し、前記血液送出装置を逆方向に稼働して、前記血液供給流路の前記電解質液流路との接続部分より下流側の前記電解質液を前記接続部分より上流側に供給する、請求項３に記載の血液浄化装置。
【請求項５】
前記抗凝固液ポンプによる抗凝固液の実際送出量と予定送出量を一定間隔で比較し、該実際送出量が該予定送出量よりも多い場合に、該実際送出量が該予定送出量に一致するまで、前記抗凝固液ポンプを停止させる制御装置をさらに有する、請求項２〜４のいずれかに記載の血液浄化装置。
【請求項６】
血液浄化装置の作動方法であって、
前記血液浄化装置は、
血液を浄化する血液浄化器と、
動脈穿刺針から前記血液浄化器に血液を供給するための血液供給流路と、
前記血液浄化器から静脈穿刺針に血液を返送するための血液返送流路と、
前記血液供給流路上に設けられ、血液を前記血液浄化器に送出する血液送出装置と、
前記血液供給流路における前記血液送出装置よりも上流側に、血液を置換する電解質液を供給するための電解質液流路と、
前記電解質液流路上に血液の抗凝固液を供給するための抗凝固液供給装置と、
前記電解質液流路に設けられた第１の開閉弁と、
前記血液供給流路の前記電解質液流路との接続部分よりも上流側に設けられた第２の開閉弁と、を有するものであり、
前記第２の開閉弁を閉鎖し、且つ、前記血液送出装置を正方向に稼働させた状態で、前記第１の開閉弁を一定時間閉鎖することにより、前記血液供給流路における前記第２の開閉弁より下流側を減圧し、その後、前記第１の開閉弁を開放することにより、前記電解質液を前記血液供給流路に流入させるように制御装置が作動する、血液浄化装置の作動方法。
【請求項７】
前記制御装置は、前記電解質液を前記血液供給流路に流入させた後、前記第１の開閉弁を閉鎖し、前記第２の開閉弁を開放し、前記血液送出装置を逆方向に稼働させ、前記血液供給流路における前記接続部分よりも下流側に供給されている前記電解質液を、前記血液供給流路における前記接続部分よりも上流側に供給する、請求項６に記載の血液浄化装置の作動方法。
【請求項８】
前記抗凝固液供給装置は、抗凝固液貯留器から前記血液供給流路に抗凝固液供給流路を通じて抗凝固液を送出するための抗凝固液ポンプを有し、
前記制御装置は、前記抗凝固液ポンプによる抗凝固液の実際送出量と予定送出量を一定間隔で比較し、該実際送出量が該予定送出量よりも多い場合に、該実際送出量が該予定送出量に一致するまで、前記抗凝固液ポンプを停止させる、請求項６又は７に記載の血液浄化装置の作動方法。
【発明の詳細な説明】
【技術分野】
【０００１】
本発明は、血液浄化装置及び血液浄化装置の作動方法に関する。
【背景技術】
【０００２】
例えば血液透析処理は、血液透析装置により行われている。血液透析装置は、図６に示すように通常、動脈穿刺針１００から血液浄化器１０１に血液を供給するための血液供給流路１０２と、血液浄化器１０１から静脈穿刺針１０３に血液を返送するための血液返送流路１０４からなる血液回路を有し、血液供給流路１０２には、血液を送出する血液ポンプ１０５が設けられている。また、血液供給流路１０２や血液返送流路１０４には、ドリップチャンバ１０６、１０７が設けられている。血液透析時には、血液ポンプ１０５を稼働させ、動脈穿刺針１００から採取された患者の血液を血液浄化器１０１に送り、浄化した後、静脈穿刺針１０３から患者に戻している。
【０００３】
また、血液透析終了時には、血液回路内に残存している血液を患者に戻す（返血する）必要がある。このため、血液供給流路１０２の血液ポンプ１０５より上流側には、例えば電解質液バック１０８に連通する電解質液流路１０９が接続されており、返血時には、電解質液流路１０９から血液供給流路１０２に電解質液が供給され、血液回路が電解質液で置換され、血液回路の血液が患者に戻される。
【０００４】
血液透析中には、血液供給流路１０２内の圧力変動に伴って、電解質液流路１０９に少量の血液が繰り返し、流入・流出して、一部が滞留する。そのため、電解質液流路１０９における血液供給流路１０２との接続部分Ａでは、この滞留した血液が凝固し、いわゆる血栓が形成される。そこで、返血時には、この血栓が患者の体内に入らないようにする必要がある。
【０００５】
そこで、現状の返血では、例えば先ず、血液ポンプ１０５の正回転により、電解質液が電解質液流路１０９から血液供給流路１０２の下流側（血液ポンプ１０５側）に流され、血液供給流路１０２の下流側内、血液浄化器１０１内、血液返送流路１０４内が電解質液に置換され、血液が静脈穿刺針１０３側から患者に戻される。このとき、電解質液流路１０９における血液供給流路１０２との接続部分Ａで形成された血栓は、血液供給流路１０２の下流側に押し流される。この血栓は、血液浄化器１０１やドリップチャンバ１０６、１０７などで捕らえられる。血栓が下流側に流された後、電解質液流路１０９の電解質液が血液供給流路１０２の上流側（動脈穿刺針１００側）に流され、当該上流側が電解質液に置換されて、当該上流側にある血液が動脈穿刺針１００側から患者に戻されている。
【先行技術文献】
【非特許文献】
【０００６】
【非特許文献１】平澤由平ら、透析会誌. 34(9)：1277-1286，2001年
【発明の概要】
【発明が解決しようとする課題】
【０００７】
しかしながら、上記返血方法では、電解質液流路１０９の血液供給流路１０２との接続部分に形成されていた血栓が、血液供給流路１０２の下流側に流れずに残っている可能性がある。この場合、電解質液流路１０９の電解質液が血液供給流路１０２の上流側（動脈穿刺針１００側）に流される時に、血栓が動脈穿刺針１００側から患者の体内に入る可能性がある。このため、万が一に備えて、血液供給流路１０２の上流側には、血栓を検出する装置が取り付けられている。この血栓を検出する装置は高価である。
【０００８】
本発明はかかる点に鑑みてなされたものであり、安価に血栓が患者の体内に入ることを防止できる血液浄化装置、及び血液浄化装置の作動方法を提供することをその目的とする。
【課題を解決するための手段】
【０００９】
上記目的を達成する本発明は、血液を浄化する血液浄化器と、動脈穿刺針から前記血液浄化器に血液を供給するための血液供給流路と、前記血液浄化器から静脈穿刺針に血液を返送するための血液返送流路と、前記血液供給流路上に設けられ、血液を前記血液浄化器に送出する血液送出装置と、前記血液供給流路に血液を置換する電解質液を供給するための電解質液流路と、を有する血液浄化装置において、前記電解質液流路に接続され、前記電解質液流路上に血液の抗凝固液を供給するための抗凝固液供給装置をさらに有するものである。
【００１０】
本発明によれば、電解質液流路における血液供給流路との接続部分に血液の抗凝固液を供給できるので、当該接続部分に血栓が形成されるのを防止できる。これにより、血栓を検出するような高価な装置がなくてもよいので、返血時に血栓が患者の体内に入ることを安価に防止できる。また、血液や電解質液の流れの複雑な操作が不要になるため、返血時に血栓が患者の体内に入ることを簡単に防止できる。
【００１１】
前記抗凝固液供給装置が、抗凝固液貯留器と、一端が該抗凝固液貯留器に接続され、他端が前記電解質液流路に接続されている抗凝固液供給流路と、前記抗凝固液貯留器から前記電解質液流路に抗凝固液を送出するため抗凝固液ポンプとを有するものであってもよい。
【００１２】
上記血液浄化装置は、前記電解質液流路に設けられた第１の開閉弁と、前記血液供給流路の前記電解質液流路との接続部分よりも上流側に設けられた第２の開閉弁と、前記第２の開閉弁を閉鎖し、且つ、前記血液送出装置を正方向に稼働させた状態で、前記第１の開閉弁を一定時間閉鎖することにより、前記血液供給流路における前記第２の開閉弁より下流側を減圧し、その後、前記第１の開閉弁を開放することにより、前記電解質液を前記血液供給流路に流入させる制御装置と、をさらに有し、前記電解質液流路は、前記血液供給流路の前記血液送出装置よりも上流側に接続されていてもよい。
【００１３】
前記制御装置は、前記第１の開閉弁を開放し、前記第２の開閉弁を閉じ、前記血液送出装置を正方向に稼働して、前記電解質液流路から、前記血液供給流路の前記電解質液流路との接続部分よりも下流側に前記電解質液を供給し、前記第１の開閉弁を閉じ、前記第２の開閉弁を開放し、前記血液送出装置を逆方向に稼働して、前記血液供給流路の前記電解質液流路との接続部分より下流側の前記電解質液を前記接続部分より上流側に供給してもよい。
【００１４】
上記血液浄化装置は、前記抗凝固液ポンプによる抗凝固液の実際送出量と予定送出量を一定間隔で比較し、該実際送出量が該予定送出量よりも多い場合に、該実際送出量が該予定送出量に一致するまで、前記抗凝固液ポンプを停止させる制御装置をさらに有するものであってもよい。
【００１５】
別の観点による本発明は、血液浄化装置の作動方法であって、前記血液浄化装置は、血液を浄化する血液浄化器と、動脈穿刺針から前記血液浄化器に血液を供給するための血液供給流路と、前記血液浄化器から静脈穿刺針に血液を返送するための血液返送流路と、
前記血液供給流路上に設けられ、血液を前記血液浄化器に送出する血液送出装置と、前記血液供給流路における前記血液送出装置よりも上流側に、血液を置換する電解質液を供給するための電解質液流路と、前記電解質液流路上に血液の抗凝固液を供給するための抗凝固液供給装置と、前記電解質液流路に設けられた第１の開閉弁と、前記血液供給流路の前記電解質液流路との接続部分よりも上流側に設けられた第２の開閉弁と、を有するものであり、前記第２の開閉弁を閉鎖し、且つ、前記血液送出装置を正方向に稼働させた状態で、前記第１の開閉弁を一定時間閉鎖することにより、前記血液供給流路における前記第２の開閉弁より下流側を減圧し、その後、前記第１の開閉弁を開放することにより、前記電解質液を前記血液供給流路に流入させるように制御装置が作動するものである。
【００１６】
前記血液浄化装置の作動方法において、前記制御装置は、前記電解質液を前記血液供給流路に流入させた後、前記第１の開閉弁を閉鎖し、前記第２の開閉弁を開放し、前記血液送出装置を逆方向に稼働させ、前記血液供給流路における前記接続部分よりも下流側に供給されている前記電解質液を、前記血液供給流路における前記接続部分よりも上流側に供給するようにしてもよい。
【００１７】
前記血液浄化装置の作動方法において、前記抗凝固液供給装置は、抗凝固液貯留器から前記血液供給流路に抗凝固液供給流路を通じて抗凝固液を送出するための抗凝固液ポンプを有し、前記制御装置は、前記抗凝固液ポンプによる抗凝固液の実際送出量と予定送出量を一定間隔で比較し、該実際送出量が該予定送出量よりも多い場合に、該実際送出量が該予定送出量に一致するまで、前記抗凝固液ポンプを停止させるようにしてもよい。
【発明の効果】
【００１８】
本発明によれば、安価に血栓が患者の体内に入ることを防止できる。
【図面の簡単な説明】
【００１９】
【図１】血液透析装置の構成の概略を示す説明図である。
【図２】第１の開閉弁を開放し、第２の開閉弁を閉鎖した状態の血液透析装置の説明図である。
【図３】第１の開閉弁を閉鎖し、第２の開閉弁を開放した状態の血液透析装置の説明図である。
【図４】第１の開閉弁と第２の開閉弁を閉鎖した状態の血液透析装置の説明図である。
【図５】ヘパリン溶液供給流路のチューブに電解質液流路のメインチューブが接続されている場合の血液透析装置の説明図である。
【図６】改良前の血液透析装置の構成を示す説明図である。
【発明を実施するための形態】
【００２０】
以下、本発明の実施形態の一例を図面を参照しながら説明する。図１は、本実施の形態にかかる血液浄化装置としての血液透析装置１の構成の概略を示す説明図である。
【００２１】
血液透析装置１は、血液を浄化する血液浄化器１０と、動脈穿刺針１１から血液浄化器１０に血液を供給するための血液供給流路１２と、血液浄化器１０から静脈穿刺針１３に血液を返送するための血液返送流路１４と、血液供給流路１２上に設けられ、血液を血液浄化器１０に送出する血液送出装置としての血液ポンプ１５と、血液供給流路１２における血流ポンプ１５よりも上流側（動脈穿刺針１１側）に、血液の電解質液を供給するための電解質液流路１６と、血液供給流路１２に血液の抗凝固液としてのヘパリン溶液を供給するヘパリン溶液供給装置１７、及び制御装置１８等を有している。
【００２２】
血液浄化器１０は、例えば中空糸の膜１９を内蔵した中空糸モジュールであり、膜１９の一次側１０ａに血液を通し、二次側１０ｂに透析液を通し、一次側１０ａの血液中の不要物質を膜１９を通じて二次側１０ｂの透析液に取り込んで血液を透析することができる。
【００２３】
血液供給流路１２及び血液返送流路１４には、例えば軟質のチューブが用いられている。血液ポンプ１５は、例えばチューブポンプであり、血液供給流路１２のチューブを扱いて血液を血液浄化器１０側に圧送できる。血液ポンプ１５は、正逆回転可能である。
【００２４】
血液供給流路１２における血液ポンプ１５と血液浄化器１０との間には、ドリップチャンバ３０が設けられている。また、血液返送流路１４には、ドリップチャンバ３１が設けられている。
【００２５】
電解質液流路１６は、例えば一端が電解質液バック４０に接続され、他端が血液供給流路１２に接続されている。電解質液バック４０は、電解質液を自由落下させるため高い位置に設置されている。
【００２６】
ヘパリン溶液供給装置１７は、例えば抗凝固液貯留器としてのヘパリンシリンジ５０と、ヘパリン溶液を流通させる抗凝固液供給流路としてのヘパリン溶液ライン５１と、ヘパリン溶液を送出するためヘパリン溶液ポンプ５２から構成されており、ヘパリン溶液ライン５１は、一端がヘパリンシリンジ５０に接続され、他端が電解質液流路１６に接続されている。
【００２７】
ヘパリン溶液ライン５１における電解質液流路１６との接続部分よりも電解質液バック４０側の電解質液流路１６上には、電磁弁などの第１の開閉弁６０が設けられている。また、血液供給流路１２の電解質液流路１６との接続部分よりも上流側には、電磁弁などの第２の開閉弁６１が設けられている。
【００２８】
制御装置１８は、血液透析装置１の全体の動作を制御している。制御装置１８は、例えば汎用のコンピュータであり、記憶部、演算部、表示部等を有している。制御装置１８は、血液ポンプ１５、ヘパリン溶液ポンプ５２、第１の開閉弁６０、第２の開閉弁６１等の動作を制御し、血液透析及び当該血液透析後の返血を実行することができる。
【００２９】
次に、以上のように構成された血液透析装置１の作動方法を、血液透析処理のプロセスと共に説明する。
【００３０】
血液透析時には、例えば図１に示すように第１の開閉弁６０が閉鎖され、第２の開閉弁６１が開放された状態で、血液ポンプ１５が正回転され、患者の血液が動脈穿刺針１１から血液供給流路１２を通って血液浄化器１０に送られる。血液浄化器１０において血液中の不要物質が除去される。血液浄化器１０を通過して浄化された血液は、血液返送流路１４を通って静脈穿刺針１３から患者に戻される。
【００３１】
血液透析時には、ヘパリン溶液は、ヘパリンシリンジ５０からヘパリン溶液ライン５１を流通して、電解質液流路１６の血液供給流路１２との接続部分Ａに供給される。このヘパリン溶液は、さらに血液供給流路１２を経て、血液浄化器１０を通過し、血液返送流路１４を通って静脈穿刺針１３から患者に入る。これにより、患者体内の血液の凝固能が抑制されている。また、このヘパリン溶液の供給により、電解質液流路１６の血液供給流路１２との接続部分Ａにおいてヘパリン濃度が著しく高くなり、血液透析中、この部分において血液が凝固して血栓が生成されることが防止されている。
【００３２】
所定時間の血液透析が行われた後は、血液ポンプ１５が停止され、血液透析が終了する。血液透析が終了すると、血液回路内の残存血液を患者に戻す返血が行われるのである。返血時には、図２に示すように第１の開閉弁６０が開放され、第２の開閉弁６１が閉鎖され、血液ポンプ１５が正回転されて、電解質液バック４０の電解質液が電解質液流路１６を通じて血液供給流路１２内に流入する。このとき、電解質液は、血液供給流路１２における電解質液流路１６との接続部分Ａよりも下流側に流れる。これにより、血液供給流路１２の接続部分Ａの下流側にある血液が電解質液により押され、静脈穿刺針１３側から患者の体内に戻される。
【００３３】
次に、図３に示すように第１の開閉弁６０が閉鎖され、第２の開閉弁６１が開放され、血液ポンプ１５が逆回転される。これにより、血液供給流路１２の接続部Ａより下流側に流入していた電解質液が接続部Ａよりも上流側に流され、当該上流側にある血液が動脈穿刺針１１から患者の体内に戻される。
【００３４】
このような図２に示した血液供給流路１２の接続部Ａよりも下流側への電解質液の供給と、図３に示した上流側への電解質液の供給が繰り返し行われ、血液供給流路１２、血液浄化器１０及び血液返送流路１４内の血液がすべて患者の体内に戻され、その後、血液ポンプ１５が停止され、返血が終了する。なお、一度の、血液供給流路１２の接続部Ａよりも下流側への電解質液の供給により、血液供給流路１２の接続部Ａよりも下流側の総ての血液を患者の体内に戻し、その後上述の血液供給流路１２の接続部Ａよりも上流側への電解質液の供給と、血液供給流路１２の接続部Ａよりも下流側への電解質液の供給を繰り返し行ってもよい。
【００３５】
本実施の形態によれば、電解質液流路１６における血液供給流路１２との接続部分Ａに抗凝固液であるヘパリン溶液を供給できるので、当該接続部分Ａにおいて、ヘパリン濃度が著しく高くなり、その部分において血液が凝固して血栓が形成されるのを防止できる。これにより、血栓を検出するような高価な装置がなくてもよいので、返血時に血栓が患者の体内に入ることを安価に防止できる。また、血液や電解質液の流れの複雑な操作が不要になるため、返血時に血栓が患者の体内に入ることを簡単に防止できる。
【００３６】
また、本実施の形態では、血液透析中に血液供給流路１２に供給され患者体内の血液の凝固能を抑制する既存のヘパリン溶液供給装置１７を用いるので、血液透析装置１が安価に抑えられる。なお、本発明において、必ずしも既存のヘパリン溶液供給装置１７を用いる必要はなく、別途設けてもよい。
【００３７】
また、上記実施の形態において、電解質液を血液供給流路１２における接続部分Ａよりも下流側に流入させる際に、制御装置１８により、図４に示すように、第２の開閉弁６１を閉鎖すると共に血液ポンプ１５を正回転させた状態で、第１の開閉弁６０一定時間閉鎖して、血液ポンプ１５の上流側を減圧し、その後第１の開閉弁６０を開放して、電解質液を血液供給流路１２に流入させるようにしてもよい。かかる場合、一時的に血液ポンプ１５の上流側が陰圧になり、第１の開閉弁６０の開放により、電解質液が高流速で血液供給流路１２内に流入するので、仮に接続部分Ａに血栓があっても、確実に血液供給流路１２の接続部分Ａよりも下流側に押し流され、その後、例えばドリップチャンバ３０等により捕らえられる。これにより、仮に血栓が生成されている場合であっても、患者の体内に入り込むことがなく、より安心して返血を行うことができる。特に、電解質液流路１６と血液供給流路１２との接続部分Ａでは、ヘパリン濃度が高いので、万一、血栓が形成されていたとしても、接続部分Ａ付近の流路壁に対する血栓の接着程度が弱く、血栓は、高流速の電解質液により容易に流路壁から剥離し、血液ポンプ１５の方向に流される。なお、この例において、第１の開閉弁６０の開閉を複数回、間欠的に繰り返すとより好ましい。
【００３８】
以上の実施の形態において、ヘパリン溶液ポンプ５２によるヘパリン溶液の実際送出量と予定送出量を一定間隔で比較し、該実際送出量が該予定送出量よりも多い場合に、該実際送出量が該予定送出量に一致するまでヘパリン溶液ポンプ５２を停止させるようにしてもよい。実際送出量の測定は、例えば、ヘパリンシリンジ５０内のヘパリン溶液の減少量を３０分おきに測定することによって行ってもよい。かかる場合、例えば血液ポンプ１５より陰圧になった血液供給流路１２内に予定以上にヘパリン溶液が送出されていた場合に、血液供給流路１２への単位時間あたりのヘパリン溶液供給量が適正な量に調整される。
【００３９】
血液透析中、血液供給流路１２の血液ポンプ１５よりも上流側の部分は、その内圧が大気圧よりも低く陰圧となっており、ヘパリン溶液供給流路５１から血液供給流路１２内に流入するヘパリン溶液の実際送出量は予定送出量よりも多くなる場合がある。上記例では、仮にそのような場合であっても、最終的に血液供給流路１２内に供給される量を適切な量に調整できる。
【００４０】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４１】
例えば、本明細書において、「電解質液供給流路１６」には、電解質液バック４０に接続された同じチューブが直接血液供給流路１２に接続されているもののみならず、他のチューブ、例えばヘパリン溶液供給流路５１のチューブを介して血液供給流路１２に接続されているものも含まれる。つまり、図５に示すようにヘパリン溶液供給流路５１のチューブが血液供給流路１２に直接接続され、そのヘパリン溶液供給流路５１のチューブに電解質液供給流路１６のメインチューブが接続されていてもよい。かかる場合、電解質液供給流路１６のメインチューブと、ヘパリン溶液供給流路５１のチューブにより、電解質液供給流路が構成される。
【００４２】
以上の実施の形態において、電解質液供給流路１６は、一端が電解質液バック４０に接続され、当該電解質液バック４０から血液供給流路１２に電解質液を供給するものであったが、本発明は、電解質液の供給源が他のものであっても適用できる。例えば電解質供給流路１６は、血液浄化器１０の二次側に接続された透析液供給流路に接続され、透析時に血液浄化器１０に供給される透析液を電解質液として血液供給流路１２に供給するものであってもよい。また、以上の実施の形態において、電解質液は、血液ポンプ１５によって血液供給流路１２に送液されていたが、本発明は、他の方法によって送液されてもよい。例えば電解質液供給流路１６にポンプが設けられ、当該ポンプによって電解質液が血液供給流路１２に供給されるものであってもよい。また、以上の実施の形態では、電解質液供給流路１６が、血液供給流路１２の血液ポンプ１５より上流側に接続されていたが、血液供給流路１２の他の部分に接続されていてもよい。さらに、電解質液供給流路１６のヘパリン溶液供給流路５１の接続部分より上流側には、クランプが設けられていてもよい。かかる場合、クランプにより電解質液供給流路１６の上流側を閉鎖した状態で、ヘパリン溶液供給流路５１と電解質液供給流路１６との接続部にへパリン溶液を供給して、当該接続部におけるヘパリンの濃度を上げることができる。
【００４３】
また、本実施の形態では、抗凝固液としてヘパリン溶液を用いていたが、血液の凝固を抑える性質を有するものであれば、低分子ヘパリン、メシル酸ナファモスタットなど、他の液体であってもよい。さらに、本発明は、血液透析装置以外の血液浄化装置にも適用できる。
【実施例】
【００４４】
（実験）
血液供給流路と電解質液流路との接続部分における血栓形成の有無を、本発明の血液浄化装置については１２名の透析患者の延べ４４回の血液浄化治療において、従来の血液浄化装置については４８名の透析患者の延べ２６８回の血液浄化治療において、血液回収操作の直前に目視により評価した。その結果、本発明の血液浄化装置においては、すべての血液浄化治療において血栓は認められず、従来の血液浄化装置においては、すべての血液浄化治療で血栓の形成が認められた。
【符号の説明】
【００４５】
１  血液透析装置
１０  血液浄化器
１１  動脈穿刺針
１２  血液供給流路
１３  静脈穿刺針
１４  血液返送流路
１５  血液ポンプ
１６  電解質液流路
１７  ヘパリン溶液供給装置
１８  制御装置
６０  第１の開閉弁
６１  第２の開閉弁
Ａ  電解質液流路における血液供給流路との接続部分
【図１】
0005698010.tif 000002
【図２】
0005698010.tif 000003
【図３】
0005698010.tif 000004
【図４】
0005698010.tif 000005
【図５】
0005698010.tif 000006
【図６】
0005698010.tif 000007